(57)【要約】【課題】カバー体を移動させるのに手動操作する距離を従来よりも短くし、且つカバー体を移動させる機構が動作時に、キャビネットの表面から突出しないカメラ機器を提供する。【解決手段】カメラ機器は、キャビネット1上に、撮影レンズ5と、撮影レンズ5を塞ぐ第１の位置と、撮影レンズ5を露出する第２の位置を往復動するカバー体2と、キャビネット1上に回動可能に設けられて、該カバー体2に連繋したリンク板6と、キャビネット1上にカバー体2と略同一方向にスライド可能に設けられて、リンク板6に連繋したスライド体3を具えている。第１の位置と第２の位置間のカバー体2のストローク量は、スライド体3のスライド量よりも長く形成され、スライド体3は、キャビネット1の表面外側に突出せず、キャビネット1の表面内でのみスライドする。【選択図】図２
2008242105.tif 000002
【特許請求の範囲】
【請求項１】
キャビネット上に、撮影レンズと、
撮影レンズを塞ぐ第１の位置と、撮影レンズを露出する第２の位置を往復動するカバー体と、
キャビネット上に回動可能に設けられて、該カバー体に連繋したリンク機構と、
キャビネット上にカバー体と略同一方向にスライド可能に設けられて、リンク機構に連繋したスライド体を具え、
第１の位置と第２の位置間のカバー体のストローク量は、スライド体のスライド量よりも長く形成され、
スライド体は、キャビネットの表面外側に突出せず、キャビネットの表面内でのみスライドすることを特徴とするカメラ機器。
【請求項２】
カバー体の第１の位置にて、スライド体は撮影レンズの一部に被さる、請求項１に記載のカメラ機器。
【発明の詳細な説明】
【技術分野】
【０００１】
本発明は、撮影レンズの閉塞と露出を切り換えるカバー体を設けたカメラ機器に関する。
【背景技術】
【０００２】
図５は、従来のカメラ機器の正面図である(特許文献１参照)。キャビネット(１)上には、周知の如く、シャッタ釦(15)、ストロボ(17)、撮影レンズ(５)が設けられ、キャビネット(１)上には撮影レンズ(５)の閉塞と露出を切り換えるカバー体(２)が左右にスライド可能に設けられている。撮影しない際には、カバー体(２)が撮影レンズ(５)を閉塞して、撮影レンズ(５)を外部の塵芥や衝撃から保護する。カバー体(２)のスライド量は、図５に示す撮影レンズ(５)が露出した位置から閉塞する位置までの、距離Ｌ１である。
【０００３】
【特許文献１】特開２００２−１０１１９号公報
【発明の開示】
【発明が解決しようとする課題】
【０００４】
図５に示す従来のカメラ機器では、撮影レンズ(５)が露出した位置から閉塞する位置までの距離Ｌ１分、カバー体(２)を手動で移動させる。
出願人はカバー体(２)とは別に、カバー体(２)を移動させる機構を設けて、カバー体(２)を移動させるのに手動操作する距離を従来よりも短くして、使用者の利便を図ることを着想した。また、その際に、カバー体(２)を移動させる機構は、キャビネット(１)の表面上でのみ作動し、キャビネット(１)の表面から突出させないことも着想した。
本発明の目的は、カバー体(２)を移動させるのに手動操作する距離を従来よりも短くし、且つカバー体(２)を移動させる機構が動作時に、キャビネット(１)の表面から突出しないカメラ機器を提供することにある。
【課題を解決するための手段】
【０００５】
カメラ機器は、キャビネット(１)上に、撮影レンズ(５)と、撮影レンズ(５)を塞ぐ第１の位置と、撮影レンズ(５)を露出する第２の位置を往復動するカバー体(２)と、キャビネット(１)上に回動可能に設けられて、該カバー体(２)に連繋したリンク機構と、キャビネット(１)上にカバー体(２)と略同一方向にスライド可能に設けられて、リンク機構に連繋したスライド体(３)を具えている。
第１の位置と第２の位置間のカバー体(２)のストローク量は、スライド体(３)のスライド量よりも長く形成され、スライド体(３)は、キャビネットの表面外側に突出せず、キャビネット(１)の表面内でのみスライドする。
【発明の効果】
【０００６】
１．スライド体(３)をスライドさせると、リンク機構が回動して、カバー体(２)が第１の位置と第２の位置との間をスライドする。リンク機構を介することにより、スライド体(３)の移動ストローク量は、カバー体(２)の移動ストローク量よりも短くなる。即ち、使用者がカバー体(２)を移動させるのに手動操作する距離は、従来よりも短くなり、これにより使用者の利便を図ることができる。
具体的には、カバー体(２)を開くのに、スライド体(３)を移動させる量は、直接カバー体(２)を手動で開く従来の構成に比して短く、手に掛かる負荷が少ない。また、スライド体(３)を移動させる量がカバー体(２)を手動で開く従来の構成に比して短いから、スライド体(３)を移動させる時間も短い。従って、撮影を開始せんとしてから、撮影をするまでの時間が短くて済む。
２．また、スライド体(３)は、キャビネット(１)の表面内でのみスライドし、動作中にキャビネット(１)の表面から突出しない。これにより、スライド体(３)の動作時の見映えを改善することができる。
【発明を実施するための最良の形態】
【０００７】
以下、本発明の一実施例を図を用いて、詳述する。
図１(a)、(b)は、本例のカメラ機器、具体的にはデジタルカメラの正面図である。キャビネット(１)の左端部にはシャッタ釦(15)が、右端部には撮影レンズ(５)が夫々設けられ、該撮影レンズ(５)に板状のカバー体(２)が被さる。カバー体(２)はキャビネット(１)を左右にスライドして、撮影レンズ(５)の閉塞と露出を切り換える周知の構成であり、該カバー体(２)に、カバー体(２)と同じく左右にスライドするスライド体(３)が被さる。スライド体(３)は板状の部材であって、長手方向を左右に向け、図１(b)に示すように、カバー体(２)が撮影レンズ(５)を全て閉塞したときは、スライド体(３)は撮影レンズ(５)の略左半分を覆っている。
スライド体(３)とカバー体(２)は、連動してスライドし、以下にその詳細な構成を記載する。
【０００８】
図２は、スライド体(３)とキャビネット(１)の分解斜視図であり、図３は、キャビネット(１)上の各構成部品の分解正面図である。キャビネット(１)の表面の上端部及び下端部には、左右に延びた長溝(16)(16)が夫々開設され、スライド体(３)の裏面から突出した突軸(31)(31)が長溝(16)(16)に嵌まって、スライド体(３)は左右移動を案内される。
キャビネット(１)の表面には、凹面(10)が形成されて、カバー体(２)は該凹面(10)内に嵌まる。前記撮影レンズ(５)は凹面(10)内の右端部に位置する。カバー体(２)の表面とキャビネット(１)の表面は同一面内に位置する。キャビネット(１)の表面上にて、凹面(10)の周縁部には、リンク板(６)が枢支(60)され、該リンク板(６)には、長孔である第１嵌合孔(61)と第２嵌合孔(62)が開設されている。第１嵌合孔(61)は第２嵌合孔(62)よりも枢支部(60)寄りに開設され、該第１嵌合孔(61)にスライド体(３)の裏面から突出した第１ガイド突起(30)が、第２嵌合孔(62)にカバー体(２)から突出した第２ガイド突起(22)が嵌まる。
両ガイド突起(30)(22)は円形であって、第２ガイド突起(22)は第１ガイド突起(30)よりも大径である。従って、第２嵌合孔(62)は第１嵌合孔(61)よりも幅広に形成されている。これにより、仮にリンク板(６)を表裏逆にして誤って、キャビネット(１)上に取り付けても、両ガイド突起(30)(22)の径が異なるから、リンク板(６)はカバー体(２)に嵌まらない。これにより、リンク板(６)を誤装着したことが判る。
【０００９】
図３に示すように、カバー体(２)は略矩形の第１板(20)と、該第１板(20)の左端部から左向きに突出し、第１板(20)よりも幅細の第２板(21)を一体に具えている。凹面(10)は、第１板(20)が嵌まる第１凹み(11)と、第２板(21)が嵌まる第２凹み(12)を連通させて具える。
カバー体(２)が撮影レンズ(５)を閉塞した状態(第１の位置とする)では、第１板(20)の右端(20a)が、第１凹み(11)の右端(11a)に接して、右向きに移動しすぎることを規制される。
カバー体(２)が撮影レンズ(５)を露出した状態(第２の位置とする)では、第２板(21)の先端(21a)が第２凹み(12)の左端(12a)に接して、左向きに移動しすぎることを規制される。
【００１０】
リンク機構の動作
図４(a)、(b)は、リンク板(６)の動作を示す正面図であり、スライド体(３)を一点鎖線にて示す。前記の如く、第１嵌合孔(61)は第２嵌合孔(62)よりも枢支部(60)寄りに開設されているから、第２ガイド突起(22)の中心から枢支部(60)までの距離Ｓ１は、第１ガイド突起(30)の中心から枢支部(60)までの距離Ｓ２よりも長い。これにより、スライド体(３)がスライドすると、リンク板(６)を介して、カバー体(２)がスライド体(３)のスライド量よりも長くスライドする。
図４(a)に示すように、スライド体(３)が左寄りの状態では、リンク板(６)を介して、カバー体(２)も左側に寄る。撮影レンズ(５)が露出し、撮影ができる。
カバー体(２)は、第２板(21)の先端(21a)が第２凹み(12)の左端(12a)に接する(図３参照)。尚、スライド体(３)の左端は、キャビネット(１)の左端に略一致し、キャビネット(１)の表面から左向きに突出しない。
仮に、スライド体(３)がキャビネット(１)の表面から突出すると、スライド体(３)の動作時の見映えが悪い。また、スライド体(３)の動作時にキャビネット(１)に外部から衝撃が加わると、スライド体(３)を損傷させる虞れがある。このため、スライド体(３)はキャビネット(１)の表面の内側にて移動し、キャビネット(１)の表面から外側に突出しない。
【００１１】
図４(b)に示すように、撮影をしない場合には、手動でスライド体(３)を右に動かす。リンク板(６)が枢支部(60)を中心として、時計方向に回動する。カバー体(２)がリンク板(６)を介して右向きにスライドするが、前記の如く、リンク板(６)を介することにより、カバー体(２)のスライド量はスライド体(３)のスライド量よりも長い。具体的には、図４(a)、(b)に示すカバー体(２)のスライド量Ｌ３は、スライド体(３)のスライド量Ｌ２の約２倍である。但し、このスライド量Ｌ３、Ｌ２は距離Ｓ１、Ｓ２及びリンク板(６)の回動角度により決定され、この２倍の値に限定されない。
カバー体(２)の右向きスライドが完了して、撮影レンズ(５)を全て覆うと、スライド体(３)の移動も完了する。カバー体(２)は、第１板(20)の右端(20a)が、第１凹み(11)の右端(11a)に接する(図３参照)。撮影レンズ(５)はカバー体(２)により、外部の塵芥や衝撃から保護される。この時、スライド体(３)は撮影レンズ(５)の左半分に被さる。
【００１２】
本例の効果
１．本例のカメラ機器にあっては、スライド体(３)をスライドさせると、リンク板(６)が回動して、カバー体(２)が撮影レンズ(５)を閉塞した状態と撮影レンズ(５)を露出した状態との間をスライドする。リンク板(６)を介することにより、スライド体(３)の移動ストローク量は、カバー体(２)の移動ストローク量よりも短くなる。即ち、使用者がカバー体(２)を移動させるのに手動操作する距離は、従来よりも短くなり、これにより使用者の利便を図ることができる。
具体的には、カバー体(２)を開くのに、スライド体(３)を移動させる量は、直接カバー体(２)を手動で開く従来の構成に比して短く、手に掛かる負荷が少ない。また、スライド体(３)を移動させる量がカバー体(２)を手動で開く従来の構成に比して短いから、スライド体(３)を移動させる時間も短い。従って、撮影を開始せんとしてから、撮影をするまでの時間が短くて済む。
２．また、スライド体(３)は、キャビネット(１)の表面内でのみスライドし、動作中にキャビネット(１)の表面から突出しない。これにより、スライド体(３)の動作時の見映えを改善することができる。
【００１３】
上記実施例の説明は、本発明を説明するためのものであって、特許請求の範囲に記載の発明を限定し、或は範囲を減縮する様に解すべきではない。又、本発明の各部構成は上記実施例に限らず、特許請求の範囲に記載の技術的範囲内で種々の変形が可能であることは勿論である。
【図面の簡単な説明】
【００１４】
【図１】(a)、(b)は、本例のカメラ機器の正面図である。
【図２】スライド体とキャビネットの分解斜視図である。
【図３】キャビネット上の各構成部品の分解正面図である。
【図４】(a)、(b)は、リンク板の動作を示す正面図である。
【図５】従来のカメラ機器の正面図である。
【符号の説明】
【００１５】
(１)  キャビネット
(２)  カバー体
(３)  スライド体
(５)  撮影レンズ
【図１】
2008242105.tif 000003
【図２】
2008242105.tif 000004
【図３】
2008242105.tif 000005
【図４】
2008242105.tif 000006
【図５】
2008242105.tif 000007